(57)【要約】      （修正有）【課題】画像の撮影とアルバムの作成とを並行して行える撮像装置において、ユーザへの負担となる煩雑な作業なしにタイトルやキャプション等の文字列情報をアルバムへ入力できる撮像装置を実現する。【解決手段】撮像装置は、画像データに含まれる文字列情報を検出する検出手段と画像データを表示する画像枠と前記文字列情報を表示する文字列枠のレイアウト情報を含むテンプレートを記憶する記憶手段とを備え、撮像手段により生成される画像データをライブビュー表示している間に、当該ライブビュー表示されている画像データから検出された文字列情報を文字列枠に関連付けして表示する。【選択図】図５
2012205011.tif 000002
【特許請求の範囲】
【請求項１】
被写体像を撮像して画像データを生成する撮像手段と、
前記画像データに含まれる文字列情報を検出する検出手段と、
前記画像データを表示する画像枠と前記文字列情報を表示する文字列枠のレイアウト情報を含むテンプレートを記憶する記憶手段と、
前記画像データと前記文字列情報とを前記テンプレートに挿入してアルバムを作成するアルバム作成手段と、
前記記憶手段から読み出したテンプレート上に前記画像データ及び前記文字列情報をレイアウトして表示するレイアウト表示手段と、
前記レイアウト表示手段により表示されたテンプレートに関する操作を受け付ける操作手段と、を有し、
前記レイアウト表示手段は、前記撮像手段により生成される画像データをライブビュー表示している間に、当該ライブビュー表示されている画像データから検出された文字列情報を文字列枠に関連付けして表示することを特徴とする撮像装置。
【請求項２】
前記レイアウト表示手段は、前記操作手段により所定の画像枠が指定された場合、当該指定された画像枠に前記撮像手段により生成される画像データをライブビュー表示すると共に、所定の文字列枠に関連付けてサブウィンドウを展開し、当該ライブビュー表示される画像データから検出された文字列情報を表示することを特徴とする請求項１に記載の撮像装置。
【請求項３】
前記記憶手段は、前記検出手段により検出された少なくとも１つの文字列情報を記憶しており、
前記レイアウト表示手段は、前記操作手段により所定の文字列枠が指定された場合、当該指定された文字列枠に関連付けてサブウィンドウを展開し、前記記憶手段に記憶されている文字列情報を一覧表示することを特徴とする請求項１に記載の撮像装置。
【請求項４】
前記サブウィンドウに一覧表示された文字列情報から所定の文字列情報を選択する選択手段と、
前記選択手段により選択された文字列情報を前記所定の文字列枠に関連付けする設定手段と、を更に有することを特徴とする請求項３に記載の撮像装置。
【請求項５】
前記レイアウト表示手段により表示されたテンプレート上の全ての文字列枠に文字列が設定された場合、前記記憶手段は、前記設定手段により関連付けされなかった文字列情報を削除することを特徴とする請求項４に記載の撮像装置。
【請求項６】
前記設定手段は、前記アルバムにおける所定範囲の文字列枠に、前記選択手段により選択された文字列情報を適用するか否かを設定可能であり、
前記所定範囲は、同じページの全ての文字列枠、見開き両ページの全ての文字列枠、同じセクション内の全ての文字列枠、アルバムの全ての文字列枠のいずれかであることを特徴とする請求項４に記載の撮像装置。
【請求項７】
前記文字列情報は、前記画像データから検出された文字列部分を切り出した画像データ形式、又は前記画像データから検出された文字列をテキストに変換したテキストデータ形式で前記記憶手段に記憶されていることを特徴とする請求項１乃至６のいずれか１項に記載の撮像装置。
【請求項８】
前記レイアウト表示手段により表示されたテンプレート上に、文字列が設定されていない空き文字列枠が存在しない場合、前記検出手段は、前記文字列情報の検出を実行しないことを特徴とする請求項１乃至７のいずれか１項に記載の撮像装置。
【請求項９】
前記レイアウト表示手段は、前記操作手段により所定の文字列枠が指定された場合、当該指定された文字列枠に関連付けてサブウィンドウを展開し、前記撮像手段により生成される画像データをライブビュー表示すると共に、当該ライブビュー表示される画像データから検出された文字列情報を表示することを特徴とする請求項１に記載の撮像装置。
【請求項１０】
前記レイアウト表示手段は、前記サブウィンドウに表示された文字列情報を所定のフォントに変換して前記所定の文字列枠に表示することを特徴とする請求項９に記載の撮像装置。
【請求項１１】
前記レイアウト表示手段は、前記文字列枠を前記テンプレート上で移動可能に表示することを特徴とする請求項１乃至１０のいずれか１項に記載の撮像装置。
【請求項１２】
前記レイアウト表示手段は、前記サブウィンドウにライブビュー表示されている画像データ中の文字列情報を視認可能に表示することを特徴とする請求項９乃至１１のいずれか１項に記載の撮像装置。
【請求項１３】
前記操作手段はタッチパネルであり、
前記テンプレートに関する操作は、ユーザが前記タッチパネルを操作することにより行うことを特徴とする請求項１乃至１２のいずれか１項に記載の撮像装置。
【請求項１４】
被写体像を撮像して画像データを生成する撮像手段と、
前記画像データに含まれる文字列情報を検出する検出手段と、
前記画像データを表示する画像枠と前記文字列情報を表示する文字列枠のレイアウト情報を含むテンプレートを記憶する記憶手段と、を有し、
前記画像データと前記文字列情報とを前記テンプレートに挿入してアルバムを作成する機能を有する撮像装置におけるアルバム作成方法であって、
前記記憶手段から読み出したテンプレート上に前記画像データ及び前記文字列情報をレイアウトして表示するレイアウト表示工程を有し、
前記レイアウト表示工程では、前記撮像手段により生成される画像データをライブビュー表示している間に、当該ライブビュー表示されている画像データから検出された文字列情報を文字列枠に関連付けして表示することを特徴とするアルバム作成方法。
【請求項１５】
コンピュータを、請求項１乃至１３のいずれか１項に記載の撮像装置の各手段として機能させるためのプログラム。
【請求項１６】
コンピュータを、請求項１乃至１３のいずれか１項に記載の撮像装置の各手段として機能させるためのプログラムを記憶したコンピュータによる読み取りが可能な記憶媒体。
【発明の詳細な説明】
【技術分野】
【０００１】
本発明は、画像を撮影しながらアルバムを作成する撮像装置に関する。
【背景技術】
【０００２】
従来、画像を撮影しながら撮影画像を所望の配置にレイアウトし、アルバムを生成することが可能なデジタルカメラが提案されている。
【０００３】
例えば特許文献１では、複数の画像枠が設けられたテンプレートのいずれかの画像枠に撮像部で撮像されたスルー画像を表示させてアルバムを生成することができるデジタルカメラが開示されている。この撮像装置によれば、ユーザは、画像の配置や相互関係を想定しながら撮影できるため、アルバム生成を容易に行える、という利便性が得られる。
【０００４】
一方、特許文献２では、文字列を抽出するための文字を含む静止画を撮像するモードと、文字列が重畳される静止画を撮像するモードとを備えた撮像装置が開示されている。この撮像装置によれば、撮像した静止画に、別の静止画から抽出された文字列を重畳してプリント・表示するためのデータを作成できる、という利便性が得られる。
【先行技術文献】
【特許文献】
【０００５】
【特許文献１】特開２００８−０１７２３８号公報
【特許文献２】特開２００１−１７４９００号公報
【発明の概要】
【発明が解決しようとする課題】
【０００６】
しかしながら、特許文献１では、アルバム内に文字列を挿入することが考慮されていない。また特許文献２では、文字列を抽出するための撮像を行うモードと、文字列が重畳される静止画を撮像するモードとを頻繁に切り替える必要があり、操作が簡便でないという課題がある。
【０００７】
本発明は、上記課題に鑑みてなされ、その目的は、画像の撮影とアルバムの作成とを並行して行える撮像装置において、ユーザへの負担となる煩雑な作業なしにタイトルやキャプション等の文字列情報をアルバムへ入力できる撮像装置を実現することである。
【課題を解決するための手段】
【０００８】
上記課題を解決し、目的を達成するために、本発明の撮像装置は、被写体像を撮像して画像データを生成する撮像手段と、前記画像データに含まれる文字列情報を検出する検出手段と、前記画像データを表示する画像枠と前記文字列情報を表示する文字列枠のレイアウト情報を含むテンプレートを記憶する記憶手段と、前記画像データと前記文字列情報とを前記テンプレートに挿入してアルバムを作成するアルバム作成手段と、前記記憶手段から読み出したテンプレート上に前記画像データ及び前記文字列情報をレイアウトして表示するレイアウト表示手段と、前記レイアウト表示手段により表示されたテンプレートに関する操作を受け付ける操作手段と、を有し、前記レイアウト表示手段は、前記撮像手段により生成される画像データをライブビュー表示している間に、当該ライブビュー表示されている画像データから検出された文字列情報を文字列枠に関連付けして表示する。
【発明の効果】
【０００９】
本発明によれば、画像の撮影とアルバムの作成とを並行して行える撮像装置において、ユーザへの負担となる煩雑な作業なしにタイトルやキャプション等の文字列情報をアルバムへ入力できるようになる。
【図面の簡単な説明】
【００１０】
【図１】本発明に係る実施形態のデジタルカメラの外観を正面（ａ）及び背面（ｂ）から見た図。
【図２】本実施形態のデジタルカメラのブロック図。
【図３】本実施形態のデジタルカメラにより表示される、アルバムプレビュー画面（ａ）及び（ｆ）、画像枠撮影画面（ｂ）〜（ｅ）、文字列適用範囲の設定画面（ｇ）、文字列一斉挿入範囲の設定画面（ｈ）を例示する図。
【図４】テンプレートを表示するＸＭＬソースを示す図。
【図５】本実施形態のデジタルカメラのアルバム作成処理（ａ）、画像枠撮影処理（ｂ）、文字列設定処理（ｃ）を示す各フローチャート。
【図６】撮像部により撮像した画像データを例示する図。
【図７】実施形態２のデジタルカメラにより表示される、アルバムプレビュー画面（ａ）、画像枠撮影画面（ｂ）〜（ｅ）を例示する図。
【図８】テンプレートを表示するＸＭＬソースを示す図。
【図９】テキストデータ形式の文字列情報を保存しているデータベースを例示する図。
【図１０】実施形態３のデジタルカメラを背面から見た外観図。
【図１１】実施形態３のデジタルカメラのアルバム作成処理を示すフローチャート。
【図１２】実施形態３のアルバム作成処理によるページレイアウト結果を例示する図。
【発明を実施するための形態】
【００１１】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成してもよい。
【００１２】
＜デジタルカメラの構成＞図１及び図２を参照して、本実施形態のデジタルカメラ１００の構成について説明する。本実施形態のデジタルカメラ１００は、指定された画像枠に挿入する被写体を撮影する画像枠撮影モード、撮影画像を指定した画像枠に挿入したプレビュー画面を表示するページレイアウト表示モード、文字列情報を文字列枠に挿入する文字列設定モードを有する。
【００１３】
図１において、１０１はタッチパネル機能を備えるＬＣＤである。１０２はシャッターボタンである。１０３はストロボである。
【００１４】
図２において、２０１は制御部であり、デジタルカメラ１００の全体の制御を行う。制御部２０１は、例えばＣＰＵから構成される。
【００１５】
２０２はメモリであり、主に制御部２０１が実行するプログラム格納領域、プログラム実行中のワーク領域、後述する表示部２０５に表示する画面データの格納領域等、様々なデータの格納領域として使用される。
【００１６】
２０３は記憶部であり、例えばフラッシュメモリ、ハードディスク等で構成され、撮影された静止画やテンプレート等を保存するために使用される。テンプレートには、アルバムデータにおける画像枠のページレイアウト情報が含まれる。
【００１７】
２０４は撮像部であり、被写体像を撮像して得られるアナログ画像信号をデジタルデータに変換した後、ＡＤＣＴ（適応離散コサイン変換）等によりデータの圧縮処理を行い、画像データを生成してメモリ２０２に出力する。また撮像部２０４は、ズーム、フォーカス、絞り調整などの制御も行う。
【００１８】
２０５は表示部であり、例えば液晶ディスプレイ、有機ＥＬディスプレイ等で構成される。
【００１９】
２０６は操作部であり、例えばボタン、十字キー、ダイヤル、タッチパネル等で構成され、ユーザによる操作内容を制御部２０１に通知する。
【００２０】
２０７は画像処理部であり、撮像部２０４から出力される画像データから文字列を検出する機能を含み、画像データから文字列を検出したことを文字列検出イベントとして制御部２０１に通知する。また画像処理部２０７は、画像データから検出した文字列を含む領域を切り出して画像データ形式の文字列情報、又は検出した文字列をテキストに変換したテキストデータ形式の文字列情報として出力する。更に画像処理部２０７は、画像データから検出した文字列が画像のどの位置にあるかを表す情報を検出し、制御部２０１に通知する。
【００２１】
なお、上述した図２の構成は、本発明に係る撮像装置を適用した実施形態の一例を説明したものであり、通信部、音声出力部を備えるなど、本発明の要旨の範囲内で、種々の変形及び変更が可能である。
【００２２】
＜デジタルカメラの画面＞次に、図１及び図２の他、図３〜図６を参照して、実施形態１に係るデジタルカメラに表示される画面について説明する。
【００２３】
図３（ａ）は、本実施形態のデジタルカメラのアルバムプレビュー画面に、予め選択されているアルバムのテンプレートが表示されている状態を示している。
【００２４】
３００は、現在プレビュー中のテンプレート上の既に撮影した静止画が関連付けられて挿入された画像枠である。３０１は、静止画が関連付けられていない未撮影の画像枠である。
【００２５】
３０２、３０３は、表示されているテンプレートのページ戻し・送りボタンであり、ユーザはタッチすることでテンプレートのページをめくることができる。
【００２６】
３０４は、撮影ボタンである。ユーザは撮影ボタン３０４にタッチすることで、アルバムプレビュー画面から後述する画像枠撮影画面に移行させることができる。
【００２７】
３０５は、終了ボタンである。ユーザは終了ボタン３０５にタッチすることで、アルバムプレビュー画面を終了することができる。
【００２８】
３０６は、現在プレビュー中のテンプレート上の既に文字列情報が関連付けられている文字列枠である。
【００２９】
３０７は、現在プレビュー中のテンプレート上の未だ文字列情報が関連付けられていない文字列枠（以下、空き文字列枠）である。
【００３０】
図３（ｂ）は、図３（ａ）の撮影ボタン３０４がユーザによってタッチされたときに表示される画像枠撮影画面である。３１０は、スルー画像がライブビュー表示される画像枠である。ここでユーザはシャッターボタン１０２を押下することにより、ライブビュー表示された静止画が撮影され、撮影された静止画が画像枠３１０に関連付けられて挿入される。
【００３１】
３１１は、プレビューボタンである。ユーザはプレビューボタン３１１にタッチすることで、図３（ｂ）〜（ｅ）の画像枠撮影画面から、図３（ａ）のアルバムプレビュー画面へ切り替えることができる。
【００３２】
図３（ｃ）は、図３（ｂ）の画像枠撮影画面に表示中のテンプレート上に空き文字列枠３０７が存在し、且つこの空き文字列枠３０７に関連付けして挿入可能な文字列情報が記憶部２０３に記憶されている場合に表示される画像枠撮影画面である。
【００３３】
３２１は、空き文字列枠３０７に関連付けして挿入可能な文字列情報を、ユーザが選択可能に一覧表示するサブウィンドウである。文字列情報の取得や関連付けに関する処理は後述する。サブウィンドウ３２１は、テンプレート上のいずれかの空き文字列枠を指し示すように表示される。ユーザはサブウィンドウ３２１に表示されている文字列情報３２２〜３２４のいずれかを選択することで、サブウィンドウ３２１が指し示している空き文字列枠３０７に選択した文字列情報を挿入することができる。３２５は、サブウィンドウ３２１を閉じるための閉じるボタンである。
【００３４】
図３（ｄ）は、図３（ｃ）の画像枠撮影画面において、何らかの文字列情報を含む被写体を撮像部２０４により撮像されたときの画像枠撮影画面である。
【００３５】
３３０は、何らかの文字列情報を含む被写体がスルー画像としてライブビュー表示されている画像枠である。３３１〜３３６は、後述する文字列検出機能によって新たに検出・取得した文字列情報である。
【００３６】
図３（ｅ）は、図３（ｄ）のサブウィンドウ３２１において、文字列情報３３６が選択されたときの画像枠撮影画面である。
【００３７】
３４０は、文字列情報３３６が挿入された文字列枠である。
【００３８】
３４１は、スルー画像がライブビュー表示されている画像枠である。
【００３９】
図３（ｆ）は、図３（ａ）のアルバムプレビュー画面において、空き文字列枠３０７が選択された場合のアルバムプレビュー画面である。空き文字列枠３０７に挿入することが可能な文字列情報３２２〜３２４を含むサブウィンドウ３２１が表示されている。
【００４０】
図３（ｇ）は、文字列適用範囲の設定画面を示している。この設定画面によって、所定範囲から取得した文字列情報を候補として表示する際に、ユーザがどの範囲で取得した文字列情報を候補として表示するかを設定可能である。設定画面は、デジタルカメラ１００の起動時に表示され、ユーザによって設定される。設定値はメモリ２０２に記憶される。設定に関する実際の処理内容は後述する。
【００４１】
図３（ｈ）は、文字列一斉挿入範囲の設定画面を示している。この設定画面によって、所定範囲の空き文字列枠に文字列情報を挿入する際に、ユーザが選択した文字列情報をどの範囲の空き文字列に挿入するかを設定可能である。設定画面は、デジタルカメラ１００の起動時に表示され、ユーザによって設定される。設定値はメモリ２０２に記憶される。設定に関する実際の処理内容は後述する。
【００４２】
図４は、アルバムのテンプレートを表示するための具体的なＸＭＬソースを示し、（ａ）は、図３（ａ）を表示するテンプレートである。
【００４３】
４１０は、テンプレートのタイトルを示すタグである。
【００４４】
４１１は、セクションの区切りを示すタグである。
【００４５】
４１２は、ページの区切りを示すタグである。“ｌｏｃａｔｅ”は、アルバムの見開きの左側・右側を示す。
【００４６】
４１３，４１５は、テンプレート上の文字列枠を示すタグであり、図３（ａ）の文字列枠３０６，空き文字列枠３０７をそれぞれ示している。
【００４７】
４１３には、画像データ形式の文字列情報ｔｉｔｌｅ＿ｉｍａｇｅ＿１＿１＿Ｌ＿１．ＪＰＧが関連付けられている。４１５には、文字列情報が関連付けられていない。
【００４８】
４１４，４１６は、テンプレート上の画像枠を示すタグである。“ｘ”、“ｙ”は、ページ上の座標を、“ｗｉｄｔｈ”、“ｈｅｉｇｈｔ”は関連付けられた画像の表示サイズを示している。４１４は、図３（ａ）の画像枠３００を示しており、静止画ＩＭＧ＿００２９．ＪＰＧが関連付けられている。４１６は、図３（ａ）の未撮影画像枠３０１を示しており、静止画が関連付けられていない。
【００４９】
図４（ｂ）は、図３（ｅ）を表示するテンプレートである。
【００５０】
４２０は、テンプレート上の文字列枠を示しており、図３（ｅ）の文字列枠３４０を示している。４２０には、画像データ形式の文字列情報ｔｉｔｌｅ＿ｉｍａｇｅ＿１＿２＿Ｒ＿６．ＪＰＧが関連付けられている。
【００５１】
本実施形態においては、テンプレートの記述言語にＸＭＬを採用しているが、この限りではない。本発明は、テンプレートの表現に必要十分な他のあらゆる記述言語によって実施可能である。
【００５２】
＜デジタルカメラの動作＞図５（ａ）を参照して、本実施形態のデジタルカメラのアルバム作成処理について説明する。
【００５３】
なお、以下の処理は、制御部２０１が記憶部２０３に格納されたプログラムをメモリ２０２に展開して実行することによって実現される。
【００５４】
本実施形態のデジタルカメラは通常撮影モードと画像枠撮影モードとを有し、以下の説明では、ユーザ操作に応答して、画像枠撮影モードが選択されたものとする。
【００５５】
図５（ａ）において、ステップＳ５００では、制御部２０１はテンプレート選択処理（不図示）を行う。テンプレート選択処理では、制御部２０１は、記憶部２０３に記憶されているテンプレートのリストを表示部２０５に表示し、これから表示を行うテンプレートの選択をユーザに促し、ユーザの選択結果を操作部２０６から取得する。更に制御部２０１は、選択されたテンプレートを記憶部２０３より読み出しメモリ２０２に記憶し、プレビュー表示ページ番号として先頭の２ページ分のページ番号をメモリ２０２に記憶する。
【００５６】
ステップＳ５０１では、制御部２０１は、メモリ２０２に記憶されているテンプレートの、プレビュー表示ページ番号に示される２ページ分を、アルバムプレビュー画面として表示部２０５に表示する。図３（ａ）に表示結果を例示する。
【００５７】
ステップＳ５０２では、制御部２０１は、操作部２０６から通知されるユーザによる画面のタッチ入力を待ち、タッチ入力がページ戻しボタン３０２、ページ送りボタン３０３であった場合は、ステップＳ５０３に移行する。
【００５８】
ステップＳ５０３では、制御部２０１はページ切り替え処理（不図示）を行い、ステップＳ５０１に戻る。ページ切り替え処理では、制御部２０１は、メモリ２０２に記憶されているプレビュー表示ページ番号を読み出し、ページ戻しボタン３０２の場合は２を減算、ページ送りボタン３０３の場合は２を加算して、メモリ２０２のプレビュー表示ページ番号を更新する。
【００５９】
一方、ステップＳ５０２にてタッチ入力が撮影ボタン３０４であった場合は、ステップＳ５１０にて、制御部２０１は画像枠撮影処理を行い、画像枠撮影処理の後、ステップＳ５０１に戻る。
【００６０】
ステップＳ５０２におけるタッチ入力が文字列枠３０７であった場合は、制御部２０１はステップＳ５２０の文字列設定処理を行い、文字列設定処理の終了後、ステップＳ５０１に戻る。
【００６１】
ステップＳ５０２におけるタッチ入力が終了ボタン３０５であった場合は、制御部２０１は本処理を終了する。
【００６２】
ここで、ステップＳ５１０での画像枠撮影処理について、図５（ｂ）を参照して説明する。
【００６３】
図５（ｂ）において、ステップＳ５１１では、制御部２０１は、タッチ入力の対象となった画像枠に、撮像部２０４により撮像される画像データを、スルー画像としてライブビュー表示する。図３（ｄ）の画像枠３３０、図３（ｅ）の画像枠３４１に表示結果を例示する。
【００６４】
ステップＳ５１２では、制御部２０１は、操作部２０６から通知されるユーザによる画面のタッチ入力を待つ。タッチ入力が操作部２０６より通知された場合は、制御部２０１は、ステップＳ５１８に移行し、タッチ入力がない場合はステップＳ５１３に移行する。
【００６５】
ステップＳ５１３では、制御部２０１は、編集対象の画像枠が含まれる見開き両ページに、図３（ｂ）の３０７に示すような、空き文字列枠が存在するか否かを判定する。空き文字列枠があった場合は、制御部２０１は、この文字列枠を編集対象文字列枠としてステップＳ５１４に移行し、空き文字列枠がなかった場合は、ステップＳ５１２に戻る。
【００６６】
ステップＳ５１４では、制御部２０１は、画像処理部２０７からの文字列検出イベントを受信しているか否かを判定する。文字列検出イベントを受信していた場合は、制御部２０１は、ステップＳ５１５に移行し、文字列検出イベントを受信していない場合は、ステップＳ５１６に移行する。
【００６７】
ステップＳ５１５では、制御部２０１は、画像処理部２０７によって検出された文字列情報を取得し、取得した文字列情報を含む画像データを画像ファイルとして記憶部２０３に記憶させる。このときのファイル名はｔｉｔｌｅ＿ｉｍａｇｅ＿＜Ａ＞＿＜Ｂ＞＿＜Ｃ＞＿＜Ｄ＞．ＪＰＧである。＜Ａ＞、＜Ｂ＞は、それぞれ編集対象画像枠が含まれているセクション、ページのｉｄである。＜Ｃ＞は、編集対象画像枠が含まれているページのｌｏｃａｔｅを示し、ｒｉｇｈｔ／ｌｅｆｔに対応しＲ或いはＬとなる。＜Ｄ＞は各ページにおける文字列情報のシリアル番号である。図３（ｃ）の画面に表示されている３つの文字列情報３２２〜３２４のファイル名はそれぞれ、ｔｉｔｌｅ＿ｉｍａｇｅ＿１＿１＿Ｌ＿１〜ｔｉｔｌｅ＿ｉｍａｇｅ＿１＿１＿Ｌ＿３．ＪＰＧとして記憶部２０３に記憶されている。また図３（ｄ）の画面に表示されている文字列情報３３１〜３３６のファイル名はそれぞれ、ｔｉｔｌｅ＿ｉｍａｇｅ＿１＿２＿Ｒ＿１．ＪＰＧ〜ｔｉｔｌｅ＿ｉｍａｇｅ＿１＿２＿Ｒ＿６．ＪＰＧとして記憶部２０３に記憶されている。文字列情報３２２〜３２４及び３３１〜３３６は、図６（ａ）及び（ｂ）に示すような被写体を撮像部２０４によって撮像した画像データが、画像処理部２０７によって処理されて、画像処理部２０７から出力される。
【００６８】
ステップＳ５１６では、制御部２０１は、メモリ２０２に記憶されている文字列情報適用範囲の設定を参照し、編集対象文字列枠に挿入可能な文字列情報（以下、適用文字列情報）が記憶部２０３に記憶されているか否かを判定する。例えば文字列情報適用範囲の設定が「同じページの全文字列枠に適用」であるとする。このときのセクションｉｄ＝１、ページｉｄ＝２のページに存在する文字列枠の適用文字列情報とは、文字列情報ｔｉｔｌｅ＿ｉｍａｇｅ＿＜Ａ＞＿＜Ｂ＞＿＜Ｃ＞＿＜Ｄ＞．ＪＰＧのうち、＜Ａ＞＝１、＜Ｂ＞＝２である文字列情報のことを示す。
【００６９】
また、文字列情報適用範囲の設定が「見開き両ページの全文字列枠に適用」であるとする。このときのページｉｄ＝２、ページｌｏｃａｔｅ＝ｒｉｇｈｔのページに存在する文字列枠の適用文字列情報とは、文字列情報ｔｉｔｌｅ＿ｉｍａｇｅ＿＜Ａ＞＿＜Ｂ＞＿＜Ｃ＞＿＜Ｄ＞．ｊｐｇのうち、＜Ｂ＞＝２−１である文字列情報のことを示す。ページｉｄ＝Ｘ、ページｌｏｃａｔｅ＝ｒｉｇｈｔと見開きで対になるページは、ページｉｄ＝Ｘ−１であり、ｌｏｃａｔｅ＝ｌｅｆｔと見開きで対になるページは、ページｉｄ＝Ｘ＋１である。
【００７０】
適用文字列情報が記憶部２０３に記憶されている場合は、制御部２０１は、ステップＳ５１７に移行し、存在しない場合は、ステップＳ５１２へ戻る。
【００７１】
ステップＳ５１７では、制御部２０１は、図３（ｃ）、（ｄ）の３２１に示すような適用文字列情報を含むサブウィンドウを表示部２０５に表示する。
【００７２】
一方、ステップＳ５１２でタッチ入力があった場合、ステップＳ５１８において、制御部２０１は、操作部２０６から通知されたタッチ入力の操作内容を判定する。タッチ入力が、図３（ｃ）の３２２〜３２５や図３（ｄ）の３３１〜３３６に示すような文字列情報であった場合は、制御部２０１は、ステップＳ５１９に移行し、タッチ入力が、シャッターボタン１０２であった場合は、ステップＳ５１１に移行する。
【００７３】
ステップＳ５１９では、制御部２０１は、操作部２０６にてユーザに選択された文字列情報を編集対象文字列枠３０７に挿入する。図３（ｄ）において、編集対象文字列枠３０７に対して、文字列情報３３６が選択された場合は、図３（ｅ）に示すように文字列枠３４０に文字列情報が挿入される。このときのアルバムテンプレート上の空き文字列枠には、図３（ｅ）の３４０のように文字列が挿入される。
【００７４】
ここで更に、制御部２０１は、メモリ２０２に記憶されている文字列一斉挿入範囲の設定を参照する。そして、本設定が「指定文字列枠のみに挿入」以外であった場合は、設定内容に従って条件に合致する他の文字列枠にもステップＳ５１２にてユーザによって選択された文字列情報を関連付けを行う。
【００７５】
例えば、文字列一斉挿入範囲の設定が「同じページの全文字列に一斉挿入」であった場合は、編集対象文字列枠が存在するページの他の文字列枠にも文字列情報の関連付けを行う。
【００７６】
また例えば、文字列一斉挿入範囲の設定が「アルバムの全文字列枠に一斉挿入」であった場合は、現在編集中のアルバムテンプレートに存在する全ての文字列枠に一斉に文字列情報の関連付けを行う。
【００７７】
ステップＳ５２０において、制御部２０１は、メモリ２０２に記憶されている文字列情報適用範囲の設定を参照し、アルバムテンプレート上のいずれの空き文字列枠からも参照されない文字列情報を検索し削除する。例えば、文字列情報適用範囲の設定が「同じセクション内の全文字列枠に適用」であるとする。このときのいずれの空き文字列枠からも参照されない文字列情報とは、文字列情報ｔｉｔｌｅ＿ｉｍａｇｅ＿＜Ａ＞＿＜Ｂ＞＿＜Ｃ＞＿＜Ｄ＞．ｊｐｇのうち、“＜Ａ＞＝セクション内に空き文字列が存在しないセクションのｉｄ”である文字列情報を示す。
【００７８】
また例えば文字列適用範囲の設定が「同じページ内の全文字列枠に適用」であるとする。このときの、いずれの空き文字列枠からも参照されない文字列情報とは、文字列情報ｔｉｔｌｅ＿ｉｍａｇｅ＿＜Ａ＞＿＜Ｂ＞＿＜Ｃ＞＿＜Ｄ＞．ｊｐｇのうち、“＜Ｂ＞＝ページ内に空き文字列が存在しないページのｉｄ”である文字列情報を示す。
【００７９】
ステップＳ５２１では、制御部２０１は撮影処理（図示しない）を行い、撮像部２０４により撮像されてメモリ２０２に出力された画像データを静止画として記憶部２０３に保存する。なお、撮影処理の詳細については周知であるので説明は省略する。
【００８０】
ステップＳ５２２では、制御部２０１は、ステップＳ５２１にて記憶部２０３に保存されている静止画を編集対象画像枠に関連付けるよう記憶部２０３のテンプレートを更新し、本処理を終了する。図４（ｂ）のテンプレートにおいては、画像枠ｉｄ＝“２−１”に画像枠が関連付けられる。
【００８１】
ここで、ステップＳ５３０における文字列設定処理について、図５（ｃ）を参照して説明する。
【００８２】
図５（ｃ）において、ステップＳ５３１では、制御部２０１は、ステップＳ５０２にてユーザによって選択された編集対象文字列枠について、適用文字列情報が記憶部２０３に存在するか否かを判定する。適用文字列情報が存在する場合は、制御部２０１は、ステップＳ５３２に移行し、存在しない場合は、本処理を終了する。
【００８３】
ステップＳ５３２では、制御部２０１は、適用文字列情報をサブウィンドウ３２１に一覧表示する。このときのアルバムプレビュー画面を図７（ａ）に例示する。
【００８４】
ステップＳ５３３では、制御部２０１は、操作部２０６から通知されるユーザによる画面のタッチ入力を待つ。タッチ入力が文字列情報の選択であった場合は、制御部２０１はステップＳ５３４に移行し、タッチ入力が閉じるボタン３２５であった場合は、本処理を終了する。
【００８５】
ステップＳ５３４では、制御部２０１は、操作部２０６にてユーザに選択された文字列情報を、編集対象文字列枠に関連付けする。
【００８６】
以上の処理により、ユーザはアルバムに関連付ける静止画の撮影を行う際に、看板等の文字列にカメラを向け、サブウィンドウ３２１に一覧表示された文字列を選択するだけで、簡単にアルバムに文字列情報を挿入することができる。
【００８７】
また、ユーザがマニュアルで文字列枠ごとに文字列検出機能をオン・オフする必要がないため、作業負荷が軽減される。
【００８８】
［実施形態２］実施形態１では、アルバムに挿入する静止画を撮影する際に、検出された文字列をリアルタイムにユーザに提示することで、簡単にアルバムに文字列を挿入することが可能な例を説明した。しかしながら、実施形態１では、ユーザに提示しアルバムに挿入する文字列を画像データ形式で扱っているが、テキストデータ形式で扱うようにしてもよい。
【００８９】
上記のような場合を、図１及び図２の他、図５及び図７〜図９を参照して、実施形態２に係るデジタルカメラに表示される画面について説明する。なお、デジタルカメラ１００の構成は図１及び図２と同様である。なお、図７及び図８において、図３及び図４と同様の要素には同じ符号を付して示している。
【００９０】
図７（ａ）は、本実施形態のデジタルカメラのアルバムプレビュー画面に、予め選択されているアルバムのテンプレートが表示されている状態を示している。
【００９１】
７０６は、現在プレビュー中のテンプレート上の既にテキストデータ形式の文字列情報が挿入されている文字列枠である。７０７は、現在プレビュー中のテンプレート上の文字列情報を挿入可能な空き文字列枠である。
【００９２】
図７（ｂ）は、画像枠撮影画面に表示されているテンプレート上に空き文字列枠７０７が存在し、且つこの文字列枠７０７に挿入することが可能なテキストデータ形式の文字列情報が記憶部２０３に記憶されている場合に表示される画像枠撮影画面である。
【００９３】
７２１は、空き文字列枠７０７に挿入することが可能な文字列情報を、ユーザに選択可能に一覧表示するサブウィンドウである。テキストデータ形式の文字列情報取得処理については後述する。サブウィンドウ７２１は、テンプレート上のいずれかの空き文字列枠を指し示すように表示される。ユーザはサブウィンドウ７２１に表示されているテキストデータ形式の文字列情報７２２〜７２４のいずれかを選択することで、サブウィンドウ７２１が指し示している空き文字列枠７０７に選択したテキストデータを挿入することができる。
【００９４】
図７（ｃ）は、図７（ｂ）の画像枠撮影画面において、何らかの文字列情報を含む被写体を撮影したときの画像枠撮影画面である。
【００９５】
７３１〜７３６は、後述する文字列検出機能によって新たに検出・取得したテキストデータ形式の文字列情報である。
【００９６】
図７（ｄ）は、図７（ｃ）のサブウィンドウ７２１において、文字列情報７３６が選択されたときの画像枠撮影画面である。
【００９７】
３４０は、テキストデータ形式の文字列情報７３６が挿入された文字列枠である。
【００９８】
図８は、アルバムのテンプレートを表示するための具体的なＸＭＬソースを示し、（ａ）は、図７（ａ）を表示するテンプレートである。
【００９９】
８１３、８１５は、テンプレート上の文字列枠を示すタグであり、図７（ａ）の７０６、７０７をそれぞれ示している。８１３には、テキストデータ形式の文字列情報“箱根峠”が挿入されている。８１５は、テキストデータ形式の文字列情報が挿入されていない。
【０１００】
８１４，８１６は、テンプレート上の画像枠を示すタグであり、３００、３０１をそれぞれ示している。８１４は、図７（ａ）の画像枠３００を示しており、静止画ＩＭＧ＿００２９．ＪＰＧが関連付けられている。８１６は、図７（ａ）の未撮影画像枠３０１を示しており、静止画が関連付けられていない。
【０１０１】
図８（ｄ）は、図７（ｄ）を表示するテンプレートである。
【０１０２】
８２０は、テンプレート上の文字列枠を示しており、図７（ｄ）の文字列枠７４０を示している。８２０には、テキストデータ形式の文字列情報“箱根温泉鉄道”が挿入されている。
【０１０３】
図９は、テキストデータ形式の文字列情報が登録されているデータベースであり、記憶部２０３に記憶されている。レコードの構成はキーと文字列情報である。キーの内容はｔｉｔｌｅ＿ｔｅｘｔ＿＜Ａ＞＿＜Ｂ＞＿＜Ｃ＞＿＜Ｄ＞である。＜Ａ＞〜＜Ｄ＞の内容は、実施形態１と同様であるため説明を省略する。
【０１０４】
本実施形態のデジタルカメラのアルバム作成処理は、図５（ａ）の実施形態１と同様である。
【０１０５】
ここで、図５（ａ）のステップＳ５１０における画像枠撮影処理について、実施形態１と異なる部分について、図５（ｂ）を参照して説明する。
【０１０６】
図５（ｂ）において、ステップＳ５１３では、制御部２０１は、編集対象の画像枠が含まれる見開き両ページに、図７（ｂ）の７０７に示すような空き文字列枠が存在するか否かを判定する。空き文字列枠があった場合は、制御部２０１は、この文字列枠を編集対象文字列枠としてステップＳ５１４に移行し、空き文字列枠がない場合は、ステップＳ５１２に戻る。
【０１０７】
ステップＳ５１５では、制御部２０１は、画像処理部２０７によって検出された文字列情報をテキストデータとして取得し、テキストデータ形式の文字列情報にキーを関連付けてデータベースに登録する。図７（ｂ）において表示されている３つの文字列情報７２２〜７２４はそれぞれ、キーｔｉｔｌｅ＿ｉｍａｇｅ＿１＿１＿Ｌ＿１〜ｔｉｔｌｅ＿ｉｍａｇｅ＿１＿１＿Ｌ＿３と関連付けられたレコードとしてデータベースに登録されている。また図７（ｃ）において表示されている文字列情報７３１〜７３６は、それぞれキーｔｉｔｌｅ＿ｉｍａｇｅ＿１＿２＿Ｒ＿１〜ｔｉｔｌｅ＿ｉｍａｇｅ＿１＿２＿Ｒ＿６と関連付けられたレコードとしてデータベースに登録されている。文字列情報７２２〜７２４及び７３１〜７３６は、例えば図６（ａ）及び（ｂ）に示すような被写体を撮影した画像データが、画像処理部２０７によって処理されて、画像処理部２０７から出力される。
【０１０８】
ステップＳ５１６では、制御部２０１は、メモリ２０２に記憶されている文字列情報適用範囲の設定を参照し、編集対象文字列枠に挿入することが可能な適用文字列情報がデータベースに登録されているか否かを判定する。この判定方法は、実施形態１のステップＳ５１６と同様である。適用文字列情報が存在する場合は、制御部２０１は、ステップＳ５１７に移行し、存在しない場合は、ステップＳ５１２へ戻る。
【０１０９】
ステップＳ５１７では、制御部２０１は、図７（ｂ）、（ｃ）の７２１に示すような適用文字列情報を含むサブウィンドウを表示部２０５に表示する。
【０１１０】
ステップＳ５１８では、制御部２０１は、操作部２０６から通知されたタッチ入力の操作内容を判定する。タッチ入力が、図７（ｂ）の７２２〜７２５や図７（ｃ）の７３１〜７３６に示すような文字列情報であった場合は、制御部２０１は、ステップＳ５１９に移行し、タッチ入力が、シャッターボタン１０２であった場合は、ステップＳ５２１に移行する。
【０１１１】
ステップＳ５１９では、制御部２０１は、操作部２０６にてユーザに選択された文字列情報を、編集対象文字列枠に挿入する。図７（ｃ）において、編集対象文字列枠７０７に対して、文字列情報７３６が選択された場合は、図７（ｄ）に示すように文字列枠７４０に文字列情報が挿入される。このときのアルバムテンプレート上の空き文字列枠７４０には、図８（ｂ）の８２０のように文字列が挿入される。
【０１１２】
ここで更に、制御部２０１は、メモリ２０２に記憶されている文字列一斉挿入範囲の設定を参照する。そして、本設定が「指定文字列枠のみに挿入」以外であった場合は、設定内容に従って条件に合致する他の文字列枠にもステップＳ５１２にてユーザによって選択された文字列情報の関連付けを行う。条件に合致する文字列枠の判定方法は、実施形態１のステップＳ５１９と同様である。
【０１１３】
ステップＳ５２０では、制御部２０１は、メモリ２０２に記憶されている文字列適用範囲の設定を参照し、アルバムテンプレート上のいずれの空き文字列枠からも参照されない文字列情報のレコードを検索し削除する。いずれの空き文字列枠からも参照されない文字列情報の検索方法は、実施形態１のステップＳ５２０と同様である。
【０１１４】
上記実施形態１，２は必ずしも上述の限りでなく、部分的に変更されてもよい。即ち、
（１）テンプレートの記述言語にＸＭＬを採用しているが、この限りではない。本発明は、テンプレートの表現に必要十分な他のあらゆる記述言語によって実施可能である。
（２）テンプレートには最初から画像枠、文字列枠が配置されるようになっているが、この限りではない。所定のルールに従って撮影ごとに画像枠、文字列枠がテンプレート上に追加されるようになっていてもよい。
（３）ｉｄの小さいページ、画像枠から順次静止画を関連付けを行うようになっているが、この限りではない。画像枠撮影画面において、ページを指定するなどし、ユーザの所望のページ、画像枠から撮影を行うようにしてもよい。
（４）文字列枠は必ずしも固定である必要はなく、取得される文字列に応じて変更されても良い。また文字列は横書きである必要はなく、縦書きであってもよい。
【０１１５】
［実施形態３］次に実施形態３について説明する。実施形態３では、画像枠撮影モードにおいて文字列枠を指定すると、サブウィンドウが展開されてスルー画像とその画像から検出された文字列が視認可能に表示される。また、ページレイアウト表示モードにおいて、ユーザが指定した文字列枠をテンプレート上の任意の位置に移動することができる。
【０１１６】
なお、本実施形態のデジタルカメラ１００の構成は、装置本体の背面に十字キー１０４が設けられていること以外は図１及び図２と同様である。なお、本実施形態は、十字キーに限らず、上述した実施形態１，２のようにタッチパネルで操作してもよい。
【０１１７】
図１０はページレイアウト表示モードを例示している。１００４はＬＣＤ１０１上に表示されたアルバムデータである。本実施形態ではアルバムに含まれる複数のページのうち、見開き２ページが表示される。１００５は文字列枠である。１００６〜１００９はアルバムデータ上にレイアウトされた画像枠を示している。
【０１１８】
本実施形態では、画像処理部２０７は、同一の画像データ中に文字列が複数存在しても、文字列の大きさや画像中の位置などに応じて重み付けを行い、複数の文字列から１つの文字列だけを検出結果として出力するものとする。
【０１１９】
図１１は、実施形態３のアルバム作成処理を示すフローチャートである。図１２は、本実施形態のアルバム作成処理における画面を例示している。
【０１２０】
なお、以下の処理は、制御部２０１が記憶部２０３に格納されたプログラムをメモリ２０２に展開して実行することによって実現される。
【０１２１】
図１１において、アルバム作成処理の開始時には、図５（ａ）のステップＳ５０３にてページ切り替え処理が行われ、初期のアルバムデータの状態が図１２（ａ）のように見開きページで表示された状態となる。
【０１２２】
ステップＳ１１０１では、制御部２０１は、ページレイアウト１００４をＬＣＤ１０１に表示している。
【０１２３】
ステップＳ１１０２では、制御部２０１は、ユーザ操作による所定の終了要求があれば、本処理を終了し、終了要求がなければ、ステップＳ１１０３に移行する。
【０１２４】
ステップＳ１１０３では、制御部２０１は、ＬＣＤ１０１へのタッチ入力を受け付け、その操作内容に応じてステップＳ１１０４（画像枠撮影モード）、Ｓ１１０８（文字列設定モード）、Ｓ１１１４（文字列枠移動モード）のいずれかに移行する。
【０１２５】
ステップＳ１１０３で文字列枠１００５がタッチされると、ステップＳ１１０８にて、制御部２０１は、図１２（ａ）のように文字列枠１００５を指し示すサブウィンドウ１２１０を展開して撮像部２０４により撮像される画像をライブビュー表示する。
【０１２６】
それと同時に、ステップＳ１１０９では、画像処理部２０７は、サブウィンドウ１２１０に表示中の画像データに対して文字列検出処理を開始する。このとき、制御部２０１は、サブウィンドウ１２１０に表示されたスルー画像中の文字列情報の候補となる文字列部分に文字列候補枠１２１１を表示する。これにより、ライブビュー表示中のスルー画像のどの部分から文字列情報を取得しようとしているのかをユーザに視認可能に表示することができる。
【０１２７】
ステップＳ１１１０では、制御部２０１は、図１２（ｂ）のように文字列検出結果を文字列枠１００５に表示する。図１２（ｂ）では画像データから検出された「富士山」の文字列が、予め設定されたフォントに変換され、文字列枠１００５に表示されている。
【０１２８】
ステップＳ１１１１では、制御部２０１は、シャッターボタン１０２が押下されるまで、ステップＳ１１０９及びＳ１１１０の処理を繰り返す。これにより、ユーザにより画角が変化して画像データが変更されても随時対応し、文字列枠１００５及び文字列候補枠１２１１に表示する文字列を更新していく。
【０１２９】
ステップＳ１１１１でシャッターボタン１０２が押下されると、ステップＳ１１１２では、制御部２０１は、サブウィンドウ１２１０の表示を終了すると同時に、画像処理部２０７による文字列検出処理も停止させる。
【０１３０】
ステップＳ１１１３では、制御部２０１は、文字列枠１００５へ挿入する文字列を確定する。その後、ステップＳ１１０２へ戻る。図１２（ｃ）は、文字列枠１００５へ挿入する文字列を確定した後のページレイアウト１００４を例示している。
【０１３１】
上記文字列設定モードでは、検出された文字列情報を予め設定されているフォントに変換して文字列枠１００５に表示しているが、図１２（ｄ）のようにライブビュー表示中のスルー画像から文字列に対応する部分を切り出して文字列枠１００５に表示してもよい。
【０１３２】
次にステップＳ１１０３で画像枠がタッチされた場合、例えば画像枠１００６がタッチされたとすると、制御部２０１は、ステップＳ１１０４に移行する。
【０１３３】
ステップＳ１１０４では、制御部２０１は、シャッターボタン１０２が押下されるまで（Ｓ１１０５）、図１２（ｅ）のように画像枠１００６にスルー画像をライブビュー表示する。
【０１３４】
ステップＳ１１０５でシャッターボタン１０２が押下されると、ステップＳ１１０６にて、制御部２０１は画像枠撮影処理を行い、ステップＳ１１０７にてスルー画像のライブビュー表示を終了し、画像枠１００６に撮影した画像データを関連付けする。その後、ステップＳ１１０２に戻る。
【０１３５】
次にステップＳ１１０３で文字列枠１００５がドラッグされた場合、ステップＳ１１１４にて、制御部２０１は、ユーザの指などにより文字列枠１００５のドラッグが開始された後、ＬＣＤ１０１から指が離れることを検知する。そして、制御部２０１は、ステップＳ１１１４で指が離れることが検知されるまで、ステップＳ１１１５にて図１２（ｆ）のように文字列枠１００５をドラッグされる方向に移動させる。そして、ステップＳ１１１４にて指が離れると、制御部２０１は、ページレイアウト１００４上の文字列枠１００５の変更後の位置を確定する。その後、ステップＳ１１０２に戻る。
【０１３６】
上記実施形態によれば、ユーザの負担となる煩雑な作業なしにタイトルやキャプション等の文字列情報をアルバムへ入力できるようになる。
【０１３７】
また、ユーザがマニュアルで文字列枠ごとに文字列検出機能をオン・オフする必要がないため、作業負荷が軽減される。
【０１３８】
また、画像処理部２０７での文字列検出処理を、文字列枠が選択されたときにのみ実行させ、通常撮影モード時には実行させないことにより、省電力化が図れる。
【０１３９】
また、本実施形態では、アルバムの見開き両ページに対して文字列枠が１つの場合について説明したが、複数の文字列枠が存在する場合にそれぞれの文字列枠をドラッグにより移動可能にしてもよい。
【０１４０】
また、十字キー１０４などの操作によってユーザが文字列枠を追加できるようにしてもよい。
【０１４１】
［他の実施形態］本発明は、以下の処理を実行することによっても実現される。即ち、上記実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図２】
2012205011.tif 000003
【図４】
2012205011.tif 000004
【図５】
2012205011.tif 000005
【図８】
2012205011.tif 000006
【図９】
2012205011.tif 000007
【図１０】
2012205011.tif 000008
【図１１】
2012205011.tif 000009
【図１】
2012205011.tif 000010
【図３】
2012205011.tif 000011
【図６】
2012205011.tif 000012
【図７】
2012205011.tif 000013
【図１２】
2012205011.tif 000014